(57)【要約】【課題】使用性に優れた掃除機用吸込具を提供する。【解決手段】塵埃を吸入するための大吸入口（図示せず）を有する大ノズル１と、床面上の塵埃を掻き揚げるために自身が回転するアジテーター３を回転自在に保持すると共に、前記大ノズル１に着脱可能なアジテーターケース４と、大ノズル１に設けられアジテーターケース４との着脱を制御するための尾錠部５とを備え、尾錠部５は外部から操作可能にしたもので、絨毯上の掃除の際は、前記アジテーターケース４を付けた状態で使用することで、絨毯の奥の塵埃も掻き出すことができるため高い集塵性能を確保することができ、木床や痛みやすい生地の上を掃除する際には、尾錠部５を操作して前記大ノズル１から容易に前記アジテーターケース４を外すことができ、床や生地を前記アジテーターで痛めることなく掃除できるため、使用性に優れた掃除機用吸込具２０を提供することができる。【選択図】図２
2012235859.tif 000002
【特許請求の範囲】
【請求項１】
塵埃を吸入するための大吸入口を有する大ノズルと、床面上の塵埃を掻き揚げるために自身が回転するアジテーターを回転自在に保持すると共に、前記大ノズルに着脱可能なアジテーターケースと、前記大ノズルに設けられ前記アジテーターケースとの着脱を制御するための尾錠部とを備え、前記尾錠部は外部から操作可能にした掃除機用吸込具。
【請求項２】
塵埃を吸入するための小吸入口を有すると共に大ノズルに着脱可能な小ノズルを備え、前記大ノズルの略側面に、外部から操作可能でかつ前記小ノズルとの着脱を制御するための第２の尾錠部を設けた請求項１に記載の掃除機用吸込具。
【発明の詳細な説明】
【技術分野】
【０００１】
本発明は、一般家庭で使用される掃除機用吸込具に関するもので、特に使用性に関するものである。
【背景技術】
【０００２】
従来の掃除機用吸込具を、図７を用いて説明する。図７は、従来の掃除機用吸込具の側面図である。
【０００３】
図７において、従来の掃除機用吸込具は、塵埃を吸入するための吸入口Ａ（図示せず）を有する大ノズル１２と、塵埃を吸入するための吸入口Ｂ（図示せず）を有し、前記大ノズル１２に着脱可能である小ノズル１３を備えており、小ノズル１３の先端を大ノズル１２に差し込んだ際に、大ノズル１２に設けた溝部１４が小ノズル１３に設けた凸部１５に嵌合することで、大ノズル１２と小ノズル１３の固定ができるようになっている（例えば、特許文献１参照）。
【先行技術文献】
【特許文献】
【０００４】
【特許文献１】特開２００１−２９９６５１号公報
【発明の概要】
【発明が解決しようとする課題】
【０００５】
しかしながら上記従来の掃除機用吸込具の構成では、絨毯上の掃除をするには不向きであり、別途絨毯掃除用の吸込具を使用する必要があり、また、大ノズル１２から小ノズル１３を外して使用する際は、大ノズル１２を手で持った状態で小ノズル１３を強く引っ張る必要があり、力の弱い女性には、負担が大きく手間がかかるといった課題があった。
【０００６】
本発明は、上記従来の課題を解決するもので、使用性に優れた掃除機用吸込具を提供することを目的としている。
【課題を解決するための手段】
【０００７】
上記従来の課題を解決するために本発明の掃除機用吸込具は、塵埃を吸入するための大吸入口を有する大ノズルと、床面上の塵埃を掻き揚げるために自身が回転するアジテーターを回転自在に保持すると共に、前記大ノズルに着脱可能なアジテーターケースと、前記大ノズルに設けられ前記アジテーターケースとの着脱を制御するための尾錠部とを備え、前記尾錠部は外部から操作可能にしたもので、絨毯上の掃除の際は、アジテーターケースを付けた状態で使用することで、絨毯の奥の塵埃も掻き出すことができるため高い集塵性能を確保することができ、木床や痛みやすい生地の上を掃除する際には、尾錠部を操作して大ノズルから容易にアジテーターケースを外すことができ、床や生地をアジテーターで痛めることなく掃除できるため、使用性に優れた掃除機用吸込具を提供することができる。
【発明の効果】
【０００８】
本発明の掃除機用吸込具は、極めて使用性に優れたものである。
【図面の簡単な説明】
【０００９】
【図１】本発明の実施の形態１における掃除機用吸込具の要部断面図
【図２】同掃除機用吸込具の平面図
【図３】同掃除機用吸込具の要部断面図
【図４】同掃除機用吸込具の要部断面図
【図５】同掃除機用吸込具の要部断面図
【図６】同掃除機用吸込具の要部断面図
【図７】従来の掃除機用吸込具の側面図
【発明を実施するための形態】
【００１０】
第１の発明は、塵埃を吸入するための大吸入口を有する大ノズルと、床面上の塵埃を掻き揚げるために自身が回転するアジテーターを回転自在に保持すると共に、前記大ノズルに着脱可能なアジテーターケースと、前記大ノズルに設けられ前記アジテーターケースとの着脱を制御するための尾錠部とを備え、前記尾錠部は外部から操作可能にしたもので、絨毯上の掃除の際は、アジテーターケースを付けた状態で使用することで、絨毯の奥の塵埃も掻き出すことができるため高い集塵性能を確保することができ、木床や痛みやすい生地の上を掃除する際には、尾錠部を操作して大ノズルから容易にアジテーターケースを外すことができ、床や生地を前記アジテーターで痛めることなく掃除できるため、使用性に優れた掃除機用吸込具を提供することができる。
【００１１】
第２の発明は、特に、第１の発明の掃除機用吸込具において、塵埃を吸入するための小吸入口を有すると共に大ノズルに着脱可能な小ノズルを備え、前記大ノズルの略側面に、外部から操作可能でかつ前記小ノズルとの着脱を制御するための第２の尾錠部を設けたもので、アジテーター付き大ノズル、アジテーター無し大ノズルそして狭い場所の掃除に最適な小ノズルの３種類の形態に容易に変化させることができるため、使用性に優れた掃除機用吸込具を提供することができる。
【００１２】
以下、本発明の実施の形態について、図面を参照しながら説明する。なお、この実施の形態によって本発明が限定されるものではない。
【００１３】
（実施の形態１）
図１〜図６は、本発明の第１の実施の形態における掃除機用吸込具の平面図及び要部断面図を示すものである。
【００１４】
図１〜図６において、本実施の形態における掃除機用吸込具２０は、塵埃を吸入するための大吸入口２を有する大ノズルと、床面上の塵埃を掻き揚げるために自身が回転するアジテーター３と、アジテーター３を回転自在に保持すると共に大ノズル１に着脱可能なアジテーターケース４を備えている。
【００１５】
大ノズル１には、アジテーターケース４との着脱を制御するための尾錠部５が設けられ、アジテーターケース４側には、尾錠部５が挿入される穴部６を設けており、図３に示すように、尾錠部５上方に、操作部７を形成して、前記大ノズル１の外部に突出させており、外部から操作部７を操作することで、図４に示すように、尾錠部５を穴部６から解除させて、大ノズル１からアジテーターケース４を分離させることができる。
【００１６】
また、図１に示すように、大ノズル１の略中央部には、塵埃を吸入するための小吸入口８を有すると共に、大ノズル１に着脱可能な小ノズル９を設けており、図５に示すように、大ノズル１上に設けられて、外部から操作可能であり回動自在である爪部１０が小ノズル９上に設けられた突起部１１に引っ掛けられることで、大ノズル１と小ノズル９間の保持が行われている。すなわち、本実施の形態では、爪部１０が、小ノズル９の大ノズル１への着脱を制御するための第２の尾錠部となっている。
【００１７】
図６に示すように、爪部１０を操作することで、小ノズル９を大ノズル１から分離させ
ることができる。
【００１８】
以上のように構成された本実施の形態における掃除機用吸込具２０について、以下その動作、作用を説明する。
【００１９】
まず、塵埃を吸引する際には、電気掃除機（図示せず）を小ノズル９に接続し、吸引を行う。この際、床面の塵埃は、大ノズル１の大吸入口２または小ノズル９の小吸入口８から吸引されて電気掃除機へ移動する。
【００２０】
以上のように、本実施の形態においては、図１に示すように、絨毯上の掃除の際は、アジテーターケース４を付けた状態で使用することで、絨毯の奥の塵埃も掻き出すことができるため高い集塵性能を確保することができ、木床や痛みやすい生地の上を掃除する際には、図４に示すように操作部７を操作して、大ノズル１から容易にアジテーターケース４を外すことができ、床を、アジテーター３で痛めることなく掃除できるため、使用性に優れた掃除機用吸込具２０を提供することができる。
【００２１】
また、図５、６に示すように、大ノズル１の爪部１０を操作することで、狭い場所の掃除に最適な小ノズル９を、大ノズル１から外すことができる。
【００２２】
このように、本実施の形態によれば、外部からの容易な動作により、アジテーター３付きの大ノズル１、アジテーター３無しの大ノズル１、そして狭い場所の掃除に最適な小ノズル９の３種類の形態に容易に変化させることができるため、使用性に優れた掃除機用吸込具２０を提供することができる。
【産業上の利用可能性】
【００２３】
以上のように、本発明にかかる掃除機用吸込具は、使用性、耐久性および組立性に優れ極めて有用なもので、家庭用、業務用の各種電気掃除機に適用できる。
【符号の説明】
【００２４】
１  大ノズル
２  大吸入口
３  アジテーター
４  アジテーターケース
５  尾錠部
１０  爪部（第２の尾錠部）
１１  突起部
【図１】
2012235859.tif 000003
【図２】
2012235859.tif 000004
【図３】
2012235859.tif 000005
【図４】
2012235859.tif 000006
【図５】
2012235859.tif 000007
【図６】
2012235859.tif 000008
【図７】
2012235859.tif 000009